(57)【要約】      （修正有）【課題】顧客が必ず滞留する場所に設置し、販促ツールの訴求力を高めることが可能な、販促ツール設置器具を提供する。【解決手段】支柱と、これら支柱間を連結するプレートからなり、該プレートに、販促用パンフレットや広告表示を設け、順番待ちの顧客が、広告を手に取り易く、広告を目にし易くする。又、プレートにおいて、設置状況に応じて、販促用パンフレットや広告表示のレイアウトを変更可能とする為の、これら販促用パンフレットや広告表示の収納具を、着脱可能に設けたものである。さらに、ツール器具が、割り込み禁止を防止する防止棚を兼ねる事を特徴とする。【選択図】図１
0003142538.tif 000002
【実用新案登録請求の範囲】
【請求項１】
現金自動支払機等の機械に、順番待ちで行列する利用客の近傍に、行列に沿って、配置する販促ツール器具であって、該ツール器具は、支柱（１１）（１２）と、これら支柱間を連結するプレート（１３），（２１）からなり、該プレートに、販促用パンフレット（Ｐ）や広告表示（Ａ），（Ａ１），（Ａ２），（Ａ３）を設け、順番待ちの顧客が、広告を手に取り易く、又、広告を目にし易くする事を特徴とする販促ツール器具。
【請求項２】
プレート（１３），（２１）において、設置状況に応じて、販促用パンフレット（Ｐ）や広告表示（Ａ），（Ａ１），（Ａ２），（Ａ３）のレイアウトを変更可能とする為の、これら販促用パンフレット（Ｐ）や広告表示（Ａ１），（Ａ２），（Ａ３）の収納具（２２），（２３），（３１），（４１）を、着脱可能に設けた事を特徴とする販促ツール器具。
【請求項３】
ツール器具が、割り込み禁止を防止する防止棚を兼ねる事を特徴とする請求項１又は請求項２記載の販促ツール器具。
【考案の詳細な説明】
【技術分野】
【０００１】
この考案は、現金自動支払機（以下、ＡＴＭと表記）等の機械に、順番待ちで行列する利用客の近傍に、行列に沿って、販促パンフレットや広告媒体（以下、販促ツールと表記）配置する販促ツール器具に関するものである。
【背景技術】
【０００２】
従来、販促ツールは、ＡＴＭ周辺もしくは販促ツール専用棚に設置されている。
しかしながら、顧客はＡＴＭ操作時のみＡＴＭ前に留まり、現金引き出し等、顧客の目的完了後は、後続に待機する顧客を気遣い、早々にＡＴＭ前から立ち去る傾向にあり、その場で販促ツールを手に取る、もしくは読んで頂くことか期待しにくい。
【０００３】
又、販促ツール専用棚については、顧客動線に設置したり、そこまで移動して頂く為に、大きな表記にする等、販促ツールを手に取る、もしくは読んで頂く為の工夫が限定的である。
【０００４】
従って、従来の販促ツールは、顧客に対する訴求力が低い場所に設置されているという問題がある。
【０００５】
これまでに出願されている販促ツール関連文献の一例を参考の為、紹介する。（特許文献１〜２参照。）
【特許文献１】特開平１０−１９８７３８
【特許文献２】特開２００２−１０９１８５
【考案の開示】
【考案が解決しようとする課題】
【０００６】
そこで、上記課題を解決する為に、この考案は顧客が必ず滞留する場所に設置し、販促ツールの訴求力を高めることが可能な、販促ツール器具を開発・提供する事にある。
【課題を解決するための手段】
【０００７】
そこで、上記課題を解決する為の手段として、支柱と、これら支柱間を連結するプレートからなり、該プレートに、販促用パンフレットや広告表示を設け、順番待ちの顧客が、広告を手に取り易く、又、広告を目にし易くするものである。
【０００８】
又、プレートにおいて、設置状況に応じて、販促用パンフレットや広告表示のレイアウトを変更可能とする為の、これら販促用パンフレットや広告表示の収納具を、着脱可能に設けたものである。
【０００９】
又、ツール器具が、割り込み禁止を防止する防止棚を兼ねる事を特徴とするものである。
【考案の効果】
【００１０】
この考案の効果として、支柱と、これら支柱間を連結するプレートからなり、該プレートに、販促用パンフレットや広告表示を設け、順番待ちの顧客が、広告を手に取り易く、又、広告を目にし易くするものである。又、プレートにおいて、設置状況に応じて、販促用パンフレットや広告表示のレイアウトを変更可能とする為の、これら販促用パンフレットや広告表示の収納具を、着脱可能に設けたものである。又、ツール器具が、割り込み禁止を防止する防止棚を兼ねる事で、数十秒から数分顧客が滞在するＡＴＭの待ち行列に、販促ツールを設置する事が出来、且つ、従来に比較して販促ツールの訴求力が高まる等、極めて有益なる効果を奏するものである。
【考案を実施するための最良の形態】
【００１１】
この考案の最良の形態として、設置する場所や環境や条件に応じた安全・安価・高品質で最適な寸法形状、材質、表示内容に設定する事が重要である。
【実施例１】
【００１２】
そこで、この考案の一実施例を図１〜図２に基づいて詳述すると、現金自動支払機等の機械に、順番待ちで行列する利用客の近傍に、行列に沿って、配置する販促ツール器具であって、該ツール器具は、支柱（１１）（１２）と、これら支柱間を連結するプレート（１３），（２１）からなり、該プレートに、販促用パンフレット（Ｐ）や広告表示（Ａ），（Ａ１），（Ａ２），（Ａ３）を設け、順番待ちの顧客が、広告を手に取り易く、又、広告を目にし易くする事を特徴とする販促ツール器具から構成される。
【００１３】
又、プレート（１３），（２１）において、設置状況に応じて、販促用パンフレット（Ｐ）や広告表示（Ａ），（Ａ１），（Ａ２），（Ａ３）のレイアウトを変更可能とする為の、これら販促用パンフレット（Ｐ）や広告表示（Ａ１），（Ａ２），（Ａ３）の収納具（２２），（２３），（３１），（４１）を、着脱可能に設けた事を特徴とする販促ツール器具から構成される。
【００１４】
又、ツール器具が、割り込み禁止を防止する防止棚を兼ねる事を特徴とする販促ツール器具から構成される。
【００１５】
汎用の待ち行列整理器具は、図５に示す様に、支柱（５１）（５２）の間に仕切縄（５３）等を張り、行列を仕切る構造に成っていて、仕切縄（５３）部分に販促ツールを設置する事は、想定されていない。
【００１６】
そこで、本考案は支柱間に販促ツールを設置出来る器具を組み合せて形成したもので、具体的には、図１に示す様に、支柱（１１）と支柱（１２）の間に、販促ツール設置プレート（１３）を配置し、販促ツール設置プレート（１３）には、磁力等を使い着脱可能な販促ツール収納器具を装着したものである。
【００１７】
そして、販促ツール設置プレート（１３）は、支柱（１１）（１２）に対してその傾斜を変更出来る構造とし、且つ、行列待ちの顧客にとって、販促ツールが見え易く、又、手に取り易い角度に調整可能な構造にしたものである。
【００１８】
又、販促ツール収納器具（２２）（２３）を販促ツール設置プレート（２１）に着脱可能とし、様々な場面を想定した使い方（図３・図４参照）を可能とする事で、更に扱い易く効果的なものにした。
【００１９】
図２に示す様に、顧客の行列が左から右へ移動することを想定し、行列の後方（図３では２２に近い位置）から前方に移動した際に、販促ツール（２３）の場所で、顧客が販促ツールを手に取る事を想定している。
【実施例２】
【００２０】
又、その他の実施例として、図３に示す様に、顧客の行列が右から左へ移動することを想定し、販促ツール収納器具の装着位置を変更している。尚、広告（Ａ２）等を差し込むタイプの販促ツール収納器具（３１）は、中の収納物を入れ替え可能と成っている。
【実施例３】
【００２１】
更に、上記実施例以外の実施例として、図４に示す様に、幅狭の広告（Ａ３）等の差し込みタイプの販促ツール収納器具（４１）を装着し、販促ツール設置プレートの左右縁端部の空間に、パンフレット収納タイプの販促ツール収納器具をそれぞれ装着している。
【産業上の利用可能性】
【００２２】
この考案は、ＡＴＭの待ち行列のみならず、映画館やスポーツ観戦施設、交通機関のチケット販売窓口等の顧客が必ず滞留する場所に設置し、販促ツールの訴求力を高めることが可能な為、多くの市場に寄与する点で産業上の利用可能性を有する。
【図面の簡単な説明】
【００２３】
【図１】この考案の一実施例を示し、販促ツール器具の全体図である。
【図２】この考案の一実施例を示し、販促ツール設置プレートへ販促ツール収納器具を装着時の部分拡大図である。
【図３】この考案のその他の実施例を示し、販促ツール設置プレートへ販促ツール収納器具を装着時の部分拡大図である。
【図４】この考案のその他の実施例を示し、販促ツール設置プレートへ販促ツール収納器具を装着位置変更時の部分拡大図である。
【図５】この考案の従来例を示し、待ち行列整理器具の全体斜視図である。
【符号の説明】
【００２４】
１１  支柱（左）
１２  支柱（右）
１３  販促ツール設置プレート
２１  販促ツール設置プレート
２２  販促ツール収納器具（広告等差込タイプ）
２３  販促ツール収納器具（パンフレット収納タイプ）
３１  販促ツール収納器具（広告等差込タイプ）
４１  大きさの異なる販促ツール収納器具（広告等差込タイプ）
５１  支柱（左）
５２  支柱（右）
５３  仕切縄
Ａ  広告表示（磁力タイプ）
Ａ１  広告表示（差込タイプ）
Ａ２  広告表示（差込タイプ）
Ａ３  広告表示（差込タイプ）
Ｐ  パンフレット
【図１】
0003142538.tif 000003
【図２】
0003142538.tif 000004
【図３】
0003142538.tif 000005
【図４】
0003142538.tif 000006
【図５】
0003142538.tif 000007
【手続補正書】
【提出日】平成20年4月4日(2008.4.4)
【手続補正１】
【補正対象書類名】実用新案登録請求の範囲
【補正対象項目名】請求項２
【補正方法】変更
【補正の内容】
【請求項２】
プレート（１３），（２１）において、設置状況に応じて、販促用パンフレット（Ｐ）や広告表示（Ａ），（Ａ１），（Ａ２），（Ａ３）のレイアウトを変更可能とする為の、これら販促用パンフレット（Ｐ）や広告表示（Ａ１），（Ａ２），（Ａ３）の収納具（２２），（２３），（３１），（４１）を、着脱可能に設けた事を特徴とする請求項１記載の販促ツール器具。
【手続補正２】
【補正対象書類名】実用新案登録請求の範囲
【補正対象項目名】請求項３
【補正方法】変更
【補正の内容】
【請求項３】
支柱（１１）（１２）と、これら支柱間を連結するプレート（１３），（２１）が、行列の割り込み禁止を防止する防止棚を兼ねる事を特徴とする請求項１又は請求項２記載の販促ツール器具。